(57)【要約】      （修正有）【課題】洋和服の襟、ポケット、胸、帽子、バッグ、コートなどにピン、ホック、クリップまたはファスナーのような係止具により取り付け可能なブローチのような小型の空気清浄機能を有する空気清浄用器具を提供する。【解決手段】空気清浄化気体を発生する物質を保管する収納部１と空気清浄化気体を放散可能な開口部を備えた着脱自在な蓋部２により閉じられている蓋付容器に対して、係止具が付帯している。【選択図】図１
0003179685.tif 000002
【実用新案登録請求の範囲】
【請求項１】
空気清浄化気体を発生する物質を収納する収納部と空気清浄化気体を放散可能な開口部を備えた着脱自在な蓋部により閉じられている蓋付容器に対して、係止具が付帯していることを特徴とする空気清浄機能を有する携帯兼服飾型の空気清浄用器具。
【請求項２】
空気清浄化気体を発生する物質が二酸化塩素を発生する物質であることを特徴とする請求項１に記載の空気清浄用器具。
【請求項３】
収納部が、容器の形体をしており、内容部に容器の補強兼収納物の仕切りの為のリブが設けられていることを特徴とする請求項１または２に記載の空気清浄用器具。
【請求項４】
蓋部が、蓋の外表面に空気清浄化気体を放散可能な程度に切り取り部、穿孔、格子のような開口部を備えていることを特徴とする請求項１〜３のいずれかに記載の空気清浄用器具。
【請求項５】
蓋部の裏内面には、空気清浄化気体を発生する物質の保管および空気清浄化気体の放散を制御する為の、不織布、スポンジ、布のような通気性の仕切り膜により開口部が保護されていることを特徴とする請求項１〜４のいずれかに記載の空気清浄用器具。
【請求項６】
係止具が、収納部の該表面と把持用細片面により被把持部を挟む機構からなるクリップ構造であることを特徴とする請求項１〜５のいずれかに記載の空気清浄用器具。
【請求項７】
係止具が、洋和服の襟、ポケット、帽子、バッグなどに取り付ける為の、ピン、ホック、クリップ、ボタンまたはファスナーのような取り付け具であることを特徴とする請求項１〜６のいずれかに記載の空気清浄用器具。
【請求項８】
収納部、蓋部および係止具が、プラスチック材料製であることを特徴とする請求項１〜７のいずれかに記載の空気清浄用器具。
【考案の詳細な説明】
【技術分野】
【０００１】
本考案は、外套、洋和服の襟、ポケット、胸、帽子などにピン、ホック、クリップまたはファスナーのような係止具により取り付けることができるコンパクトな携帯型、服飾用品型の空気清浄用機能を有する空気清浄器具に関する。
【背景技術】
【０００２】
現在、二酸化塩素（ＣｌＯ２）は、安全性の高い消毒剤であり、特に通常５００ｐｐｍ以下の空気濃度では、皮膚炎、アレルギー、呼吸器系に対する影響が少ないという理由により、その期待が非常に高まっている。二酸化塩素は、０．１〜１０ｐｐｍ以下の空気濃度でも、ウイルスの防御、除菌および消臭をすることが知られており、その利用が期待されている。
特に、二酸化塩素で飲料水を処理して除菌する試みも既になされ、浄水処理にも使用することが試みられている。
【０００３】
二酸化塩素は、高濃度では非常に爆発し易い気体であり、使用においては希釈しなければならず、しかも熱、振動、光などの影響で不安定になる傾向もあり、その取り扱いには、細心の注意を要する。二酸化塩素の発生方法および製造方法に関しては、現在、何種類かの方法が知られているが、具体的な二酸化塩素使用現場では、二酸化塩素発生装置、現場での二酸化塩素調合装置などにより、供給するのが一般的である。その後、二酸化塩素を特殊加工した、錠剤型や粉末、顆粒、ペレット、ゼリーのような取り扱い上便利な形態のものが知られるようになり、特殊な実用または利用範囲を広げることができるようになった。
【０００４】
ウイルス、感冒、インフルエンザ、排気ガス汚染、花粉、口臭等による空気感染や空気汚染の影響を抑える対策が非常に重要になり、このために、通常は、布、不織布のような、いわゆるフィルターのような「マスク」を着用して対応しているのが一般的である。このような「マスク」に代わる機能を備えた、いわゆる、身近な空気そのものを浄化する、いわゆる空気清浄用機能を有する、空気そのものを浄化する「エアマスク」のような役割をはたす手法も求められている。
【０００５】
そのため、人が吸引する空気を浄化する、ウイルス感染などを予防するために、内部粉体を収納しうる収容体と二酸化塩素発生粉末とからなり、二酸化塩素発生粉末が水分と反応して二酸化塩素を外部に放出する仕組みの携帯型空気浄化用具が知られている（特許文献１）。
しかし、この空気浄化用具は、二酸化塩素発生粉末を収納する収容体が、強固なケースではなく、収容する二酸化塩素発生粉末を外圧に対して安定的に保護する対策が無いことや、定常に放散する規格の開口部や切り欠き部が無く、放散が不安定であり、また、取り付け位置が襟とか、ポケットのような、呼吸器部分に隣接するという課題がなく、その効能を安定的に維持する上で、取り扱いが不便である。また、ネームプレートのような紐状のもので首にかける構造は、オフィス、学校以外の場所においては、首掛は、特に子供が、自転車走行や、遊園地の滑り台や、遊具においては非常に危険であることが想定される。また、空気より重い二酸化塩素を所定の位置で、安定的に発生させるにおいて、調節に若干の不自由さがある。
【０００６】
また、ネームカードケースなど、首にかける携帯型空気浄化用具として、開口部を有するケースと、ケースに収納する二酸化塩素ガス発生体と、そのケースを人が身につける被固定物品に固定する固定手段からなる携帯型空気浄化用具が知られている（特許文献２）。
しかしながら、収納体ケースは、取り扱い上不便であり、ガス発生体が通気性袋に収納されたものにあっては便利であるが、ガス発生体が粉末のような場合には、分量が厄介である。また、ネームカードケースのような紐状のもので首にかける構造は、活動に不便であるばかりでなく、子供が、自転車走行や、遊園地の滑り台や、遊具等で活動する際に、非常に危険である。
【０００７】
安定化二酸化塩素溶液から二酸化塩素を発生させ、これと空気を接触させて、空気に含まれる煙、臭い、細菌などを浄化する環境浄化器（特許文献３）が知られている。しかし、この先行技術は、携帯型の空気浄化を目的としたものではない。
【先行技術文献】
【特許文献】
【０００８】
【特許文献１】実用新案登録第３１５４０９４号
【特許文献２】特開２０１２−９０７４３号公報
【特許文献３】特開平３−２２８７７１号公報
【考案の概要】
【考案が解決しようとする課題】
【０００９】
本考案は、外套、洋和服の襟、ポケット、胸、帽子などにピン、ホック、クリップまたはファスナーのような係止具により取り付けることができる携帯型、服飾用品型の空気清浄用機能を有する空気清浄器具において、安定的に、且つ持続的に二酸化塩素を、身近に発生するという課題を解決することにある。
【課題を解決するための手段】
【００１０】
本考案は、除菌、消臭、ウイルス、花粉対策などに有効な空気清浄機能を有する携帯兼服飾型の、いわゆるブローチ型の空気清浄用器具に係わる物品を開発したものである。
本考案の第１の特徴点は、空気清浄化気体を発生する物質を保管する収納部（１）と、空気清浄化気体を放散可能な開口部を備えた着脱自在な蓋部（２）により閉じられている蓋付容器に対して、係止具（３）が付帯していることを特徴とする空気清浄機能を有する携帯兼服飾型の空気清浄用器具（５）により達成することができるものである。
【００１１】
本考案の第２の特徴点は、空気清浄化気体を発生する物質が二酸化塩素を発生する物質であることを特徴とする空気清浄用器具により達成することができるものである。
本考案の第３の特徴点は、収納部（１）が、容器の形体をしており、内容部に容器の補強兼収納物の仕切りの為のリブが設けられていることを特徴とする空気清浄用器具により達成することができるものである。
【００１２】
本考案の第４の特徴点は、蓋部（２）が、蓋の外表面に空気清浄化気体を放散可能な程度に切り取り部、穿孔、格子のような開口部を備えていることを特徴とする空気清浄用器具により達成することができるものである。
本考案の第５の特徴点は、蓋部（２）の裏内面には、空気清浄化気体を発生する物質の保管および空気清浄化気体の放散を制御したり外部からの水や異物の侵入を防止する為の、不織布、スポンジ、布のような通気性の仕切り膜により開口部が保護されていることを特徴とする空気清浄用器具により達成することができるものである。
【００１３】
本考案の第６の特徴点は、係止具（３）が、収納部（１）の該表面と把持用細片面により被把持部を挟む機構からなるクリップ構造であることを特徴とする空気清浄用器具により達成することができるものである。
本考案の第７の特徴点は、係止具（３）が、洋和服の襟、ポケット、帽子、バック、キャスターなどに取り付ける為の、ピン、ホック、クリップ、ボタンまたはファスナーのような取り付け具であることを特徴とする空気清浄用器具により達成することができるものである。
本考案の第８の特徴点は、収納部（１）、蓋部（２）および係止具（３）が、プラスチック材料製であることを特徴とする空気清浄用器具にある。
【考案の効果】
【００１４】
本考案の空気清浄用器具は、外套、洋和服の襟、ポケット、胸、帽子などにピン、ホック、クリップまたはファスナーのような係止具により容易に取り付けることができる軽量で、携帯型、服飾用品型の持続的に空気清浄用機能を有するものであり、外出時などにおいても人の身辺近くにファション感覚で装着して、室内外における除菌、消臭、ウイルス、花粉対策などにおいて有効である。また、取り付け型の空気清浄用器具であるから、口元、鼻のような呼吸器に対して安定した所定の位置に、一定の距離や間隔をもって取り付けることができるため、二酸化塩素の放散を比較的安定に、しかもコンスタントに放散できることにより、二酸化塩素の効率的および持続的効果を高めることができる。
【図面の簡単な説明】
【００１５】
【図１】本考案の空気清浄用器具（５）の斜視図。
【図２】空気清浄用器具（５）の側面図。
【図３】空気清浄用器具（５）の正面図（図３（ａ））、側面図（図３（ｂ））および開口部を保護する仕切り膜（４）（図３（ｃ））の模式図
【図４】本考案の空気清浄用器具（５）を衣類などに装着した使用状態を示す模式図。
【図５】本考案の空気清浄用器具の収納部を構成する容器（１）の模式図。
【図６】本考案の空気清浄用器具の蓋部（２）の正面図。
【図７】本考案の空気清浄用器具の蓋部（２）を裏から見た裏面図。
【図８】空気清浄用器具の係止具（３）を構成する把持細片（３２）の模式図。
【考案を実施するための形態】
【００１６】
本考案の空気清浄機能を有する携帯兼服飾型の空気清浄用器具（５）の物品として、デザイン的にも最も好ましい形態の概要を示すと、図を参考にして説明をすれば、図１の斜視図に見るように、空気清浄化気体を発生する物質を保管した収納部（１）の容器に、蓋の表面に略四角形（２３）、略半円分割形（２４）の開口部（２３）（２４）を任意に有する蓋部（２）を、容器の上口部（１３）および側壁部（１２）を覆うように被せた状態のコンパクトな構造の物品である。また、開口部（２３）（２４）を含めた容器の上口部（１３）全体を覆うように仕切り膜（４）（図３（ｃ）を参照。）を被せるものである。この仕切り膜（４）を被せるに当っては、単に収納部（１）の容器上に載せるのみでもよいが、収納部（１）の容器上口部であって仕切り膜（４）との接触部分や、または蓋部（２）の蓋底面部分（２１）に、接着剤を塗布して仕切り膜（４）を貼り付け固着してもよい。さらにこの蓋付容器を衣類などに装着する為の係止具（３）が付帯するものであり、この係止具（３）の例としては、例えばクリップ用の取手片（３１）（３２）を付帯する構造の物品である。勿論、この容器（１）および蓋部（２）の形態、構造、模様、色彩および寸法などは任意に変えて設計できるので、図１の形態に限定した構造であると解釈されるようなものではない。
【００１７】
同様に、空気清浄用器具（５）の側面図は、図２に示すとおりのものであり、収納部（１）の容器の上面口部および側壁部の前面を覆うように蓋部（２）が被さっている。容器（１）の底面裏側部分（１１１）には、クリップの役割を果たす把持細片部（３２）を取り付ける為の、対の支持体突起（１７）が一体に取り付けられている構造からなる。容器（１）に蓋部（２）をする構造は、慣用の箱に上から蓋をする構造でも良いが、装着した場合に、上側となる、いわゆる取手片（３１）側の方向へ、蓋をスライドさせる手法により蓋をする構造も、設計変更の範囲内として包含する。
【００１８】
その空気清浄用器具の具体的な物品の形状、構造および略寸法を示すと、その概要は、図３に示すとおりのものである。具体的な、空気清浄用器具の設計図に基づく寸法は、図３（ａ）正面図に基づいて大きさの概要を示すと、蓋付容器の幅が２０〜８０ｍｍ、好ましくは、３０〜５０ｍｍ程度、最適には４３．５ｍｍ程度あれば良い。さらに、取り付け具としてクリップ機能を果たす把持部の幅の部分は、好ましくは、８〜２０ｍｍ程度、最適には１１ｍｍ程度の幅のものが見られる。
【００１９】
一方、空気清浄用器具の、蓋付容器部の高さは３０〜８５ｍｍ、好ましくは、４０〜６０ｍｍ程度、最適には５３．５ｍｍ程度あれば良い。この高さには、取り付け具としてクリップ機能を果たす把持部の高さ部分として、好ましくは、８〜２０ｍｍ程度、最適には１０ｍｍ程度の長さが加わる。
蓋付容器部の厚さは、特に図３（ｂ）側面図に基づいて示すと、好ましくは、５〜２０ｍｍ程度、最適には８．８ｍｍ程度の厚さに設計される。これにクリップ機能を果たす把持部の厚さが加わると、１０〜４０ｍｍ程度の厚さを有することになる。
【００２０】
空気清浄用器具の本体部分である、この蓋付容器部の容量の寸法の大小は、空気清浄化気体を発生する物質の種類や収納量、発生物質の性能、気体発生持続時間、さらには、小型の携帯型である性格からして、重量、大きさ、或いはファション感覚を考慮して設計するような事項である。本考案の、空気清浄用器具を構成する、収納部（１）を収納部の上面口部および側壁部の全面を覆うように蓋部（２）をした、一体に勘合したものが推奨され、具体的には、典型的な物品の形態は、図１の斜視図に見るとおりのものである。
【００２１】
このように、空気清浄用器具（５）は、図４に示すとおり、洋和服の襟、ポケット、帽子、カバン等に、ピン、ホック、クリップ、ボタンまたはファスナー等の係止具（３）により取り付けることにより利用するものである。例えば、図４に見るとおり、衣類の襟や、ポケットに装着して利用する、小型の携帯型のものであり、しかもファション感覚で使用する服飾型のコンパクトな空気清浄用物品である。
【００２２】
空気清浄化気体を発生する物質を収納した収納部（１）、および蓋部（２）の物品の構造について、最も好ましい態様を示すと以下のとおりになる。
空気清浄化気体を発生する物質を保管する収納部（１）の容器に対して、空気清浄化気体を放散可能な蓋表面積の約２０〜９０％、好ましくは４０〜６０％程度切り取ることにより形成される開口部を備えた着脱自在な蓋部（２）により閉じるような構造は、通常の蓋付き容器といわれる、箱の構造を採用することができるが、空気清浄化気体を発生させるという事情を考慮すれば、好ましい態様は、図１、図３（ｂ）に見るような、収納部（１）を構成する容器の上口部（１３）および側壁部分（２２）までを、好ましくは段差などを介して覆うような構造をした蓋材料により閉じられている蓋付容器であることが好ましい。
【００２３】
この場合、外套、洋和服の襟、ポケット、帽子、バッグ、キャスターなどに取り付ける係止具（３）の構造は、典型的な例の一つを示すと、詳細には図２、図３（ｂ）に見るとおり二つの把持片により挟む構造であり、一つの把持片は収納部（１）の容器底の裏側外表面（１１１）に固着され、他方の把持片は、取手片（３２）のような状態で取り付けられており、バネ（３３）を介して任意に把持力を持たせるクリップ構造になっている。
【００２４】
空気清浄用器具の本体部分である、蓋付容器内に収納する空気清浄化気体を発生する物質が二酸化塩素を発生する物質であることが好ましく、収納部（１）の容器に、保管時には安定で、実際の使用時には、空気中の水蒸気や二酸化炭素と反応して、二酸化塩素を持続的に安定に放散するように予め加工した形態のものが推奨される。その形態は、粉末、顆粒、砕片、球状物、マイクロカプセル化状、ゲル状、液状物が任意に使用できる。予め、二酸化塩素を発生する物質を、どのような形態で使用するかは、空気清浄用器具の使用状況を考慮して決める。具体的には、セピオライトのような多孔質担体に亜塩素酸塩およびアルカリ剤を含浸させ乾燥させもの（ダイソ−（株）特開２０１１−１７３７５８）が知られており、これを使用するのが推奨される。
【００２５】
従って、このような二酸化塩素を発生する物質の場合には、一定の大きさの錠剤にするか、収納部（１）の容器に入れる所定量を、例えば透過性内袋を用いて、予めパックにしておき、それを例えばポリエチレンのようなプラスチック製の非透過性外袋に収納して二重包装の状態で保管をして、使用時に外袋を取り除いた後に、カートリッジのような対応で収納部（Ａ）の容器（１）内に収めるのがよい。この場合、例えば、１月間効能を放散するというように、一定量パックで調合することが理想的である。
【００２６】
二酸化塩素を発生する物質の放散量は、形状、使用量、および放散時間を考慮して決める。平均粒径は、１〜５ｍｍ程度あれば取り扱い上便利であり、粒径の小さいものは、単位重量に対する表面積が大きくなり、放散量が多くなることが予測される。二酸化塩素の放散量および放散時間を調整する為に、使用量を多くしたり、二酸化塩素を発生する物質の濃度を比較的高くしたりするなど、調整することが必要である。粉末の場合などは、一定量を袋に入れたパック状態で仕分けして、密封状態で保存することもできる。
【００２７】
二酸化塩素の放散量は、一応、０．００１〜５００ｐｐｍと任意に広範囲に使用可能であるが、感応するアレルギーなどの健康被害の個人差、器物に対する腐食の影響を考慮すれば、１００ｐｐｍ以下、場合によっては、５０ｐｐｍ以下、必要により２ｐｐｍ前後、或いは１ｐｐｍ、０．５ｐｐｍというように二酸化塩素発生物質の量および性能を考慮して、任意に決めるのが好ましい。いずれにせよ、細菌、ウイルス、花粉、衛生、流感、時期、場所、状況などを考慮して任意に決めることができるというのも、本考案の空気清浄用器具の有益性の特徴の一つである。
【００２８】
収納部（１）の容器の構造は、空気清浄化気体を発生する物質を保管する通常の容器であれば一応対応できるが、好ましい典型的な収納部（１）の構造は、図５に見られるとおり、浅底の箱または入れ物の形態をした、底面部分（１１）と側壁部分（１２）により形成される、上口部（１３）を有するケースまたはトレーのような容器（１）である。その底面部分の延長方向には、器具、衣服などに取り付ける場合に使用する係止具（３）としてのクリップのような把持の役割を果たす取手片（３１）が付設されている。収納部を構成する容器（１）の側壁部分（１２）は、蓋部（２）の着脱を確実に、しかも封止効果を高める為に、適度な段差を、例えば一段差（１２１）、二段差（１２２）および三段差（１２３）を順次設けることにより、収納部（Ａ）を構成する容器（１）と蓋部（２）の咬合強度、接触面積を高めて密封効果を上げる構造を採用するのが好ましい。
【００２９】
また、蓋部（２）が容易に脱落するのを防ぐ為に、ストッパー機構（１６）を敷設することにより、一旦、蓋を閉めると、ロック機構が作動して、容易に蓋が開かないようにすることが、子供が使用する場合の安全性を考慮すれば好ましい。さらに、例えば、突起と窪みを本体と蓋部の契合部分に夫々設けて契合を強固にすることもできる。また、収納部（１）の容器のねじれや変形防止、側壁部分（１２）の強度を高める為に、梁状のリブ（１４）（１５）を設けるが、その配置は、格子状に、はすかいに、やや斜め向きという、任意の向きに適正な数を配置することができる。このリブ（１４）（１５）による仕切りは、収納した空気清浄化気体を発生する物質が、粒状、顆粒などの場合、或いは袋状の場合などにおいて、過度の振動や揺動により物質の下側への一部に偏りや集中することを防止する機能を果たすので、空気清浄化気体の発生をコンスタントに持続する役割も果たす。このリブ構造は、子供などが爪や指を入れる危険を防止することや、収納されている不織布の保護をする役割を果たす。
【００３０】
蓋部（２）の構造は、蓋の外表面に二酸化塩素のような空気清浄化気体を放散可能な程度に文字に対応した切り欠き部、穿孔、格子のような開口部を備えていることを特徴とする。通常は、図６に見られるように、面に余裕の有る部分には、格子状開口部（２３）を、好ましくは対に、面に配置上余裕のない部分には、半円を二分割にしたような開口部（２４）を、好ましくは対に配置することが好ましい。勿論、多数の穿孔（図示省略）を配置して、空気清浄化気体の発生を、一定に、しかも持続させる工夫もできる。
【００３１】
この蓋部（２）の外表面は、本考案が、空気清浄機能を有する携帯兼服飾型の空気清浄用器具であることからすれば、衣類に取り付けるブローチ型のファション感覚で使用する機能を果たすので、飾り、模様、彫刻のような装飾をすることが好ましい。例えば、必要により任意に、図１、図３、図６などに見るとおり、例えば、「Ｅ．Ａ  ＭＡＳＫ」（エコムエアマスク）のような、機能、宣伝を果たすような印字のような文字模様や、花柄模様のような装飾をすること、または成形金型により、彫刻によりまたは二次加工により、空気清浄化気体を放散することができる各種の文字、模様、彫刻のような切抜きにより、または印字により、切削により任意に形成した、いわゆる表示部（２５）を形成することもできる。
【００３２】
この蓋部（Ｂ）の裏面は、図７のように、蓋の底面部分（２１）と側壁部分（２２）により形成された底の浅い容器状の形態をして、その側壁部分（２２）は、容器状の収納部（１）の外周壁（１２）に、適度な一段段差（１２１）、二段段差（１２２）および三段段差（１２３）と形成された段差に適度に勘合するような間隔で、蓋部（２）の側壁部分（２２）に賦形された、一段段差（２２２）、二段段差（２２１）を設けることにより、収納部（１）と蓋部（２）の勘合強度、接触面積を多くして密接効果を高めることが可能であり、さらには、収納部（１）と蓋部（２）の間隔を常に一定に保つことができる。蓋部の裏面から見ても、やはり適度な開口部（２３）、（２４）や、例えば、「Ｅ．Ａ  ＭＡＳＫ」（エコムエアマスク）のような、機能、宣伝を果たすような適度な印字、彫刻、切抜きのような表示部（２５）が形成されている。
【００３３】
本考案の、空気清浄用器具を構成する、容器状収納部（１）と蓋部（２）を一体に勘合した物品は、図１の外観図に見るとおりの形態をしている。
蓋部（２）の裏内壁面には、空気清浄化気体を発生する物質の保管および空気清浄化気体の放散を制御する為の、図３（ｃ）に見るような、不織布、スポンジ、布のような、蓋の内面の輪郭に沿う大きさの仕切り膜（４）により、開口部（２３、２４）、切り取りのような表示部（２５）が保護されている。この仕切り膜（４）の厚さは、空気清浄化気体の放散の通過量を考慮して決めるものである。また、仕切り膜（４）の役割は、蓋部（２）の開口部（２３）、（２４）、表示部（２５）から、空気清浄化気体を発生する物質（図示せず）が外部に飛び出さないように保護の役割も果たす。さらには、雨、霧、雪のような水が、外部から開口部（２３、２４）を通じて入り、空気清浄化気体を発生する物質の不用意な反応を促進することにより、持続的な気体の発生の障害となることを防止する。また、非通気性のプラスチック材料により、図３（ｃ）に見る仕切り膜（４）を製作すれば、空気清浄用器具を使用しない場合に、密閉の機能を果たすので、二酸化塩素の放散を防止する役割も果たすことになり、無駄を省くことになる。いずれにせよ、この仕切り膜（４）は、不織布、布、スポンジ、皮革、多孔板のような、耐薬品性の性質を備えた通気性の材料で構成されることが適切である。
【００３４】
空気清浄用器具は、洋和服の襟、ポケット、帽子などに取り付ける為の、ピン、ホック、クリップまたはファスナーのような取り付け具の役割を果たす係止具（３）が付帯している。この係止具（３）としては、市販のものを入手して任意に取り付けることができる。利便性を考慮して、典型的な係止具（３）のクリップ機構を説明すると、図２、図３（ｂ）の側面図、図８に見るような、把持部の概要は、所定の寸法と強度を備えた取手片（３１）の突起部が容器状の収納部（１）の底面部分（１１）の裏側外表面（１１１）に固定されており、それを支点にして、バネの力により把持細片（３２）の一端が、収納部（１）の底面部分（１１）の裏側の外表面（１１１）に常時押し付けられて開閉自在になっている。衣類などに取り付ける場合には、取手片（３１）と把持細片（３２）の両片の端を指圧で押して衣類などを挟むと、バネの力により戻り、衣類などを容易に挟む、クリップ機能の役割を果たす構造になっている。勿論、ピン、ホック、クリップ、例えば挟持型クリップ、または弾性材料をＵ字形に加工した押込型クリップ、自在ファスナー、または剥離紙を備えた粘着型係止具のような、慣用の係止手段による係止具（３）が任意に採用できる。
【００３５】
この把持細片（３２）は、図８に示すような形状からなる。この詳細は、図２、図３（ｂ）に示すとおり、容器状の収納部（１）の底面部分（１１）の裏側の外表面（１１１）に可動自在に固定されており、詳細には外表面（１１１）に対で設けられ支持体突起（１７）の先端孔部に、把持細片（３２）の突起軸（３４）が入り、そこを基軸にして回動可能に取り付けられる。また、バネのずれや、はずれを防止して、安定的にバネの押圧を確保する為に、バネ保持突起（３５）を設けることが好ましい。このバネ保持突起（３５）は、円形螺旋バネを受け止める程度の直径と長さを有する。勿論、板バネを採用する為に、その構造を工夫することもできる。これらの機構および工夫は設計変更の範囲のものである。その機構は、把持細片（３２）のバネを配置した部分側の裏を指で押圧して挟む構造になるが、それと反対側の端には、適度な切込みをジクザクにいれた、滑り止め構造（３６）を設けることにより衣類などからの脱落を防止することも可能である。
【００３６】
空気清浄用器具の、特に収納部の容器（１）、蓋部（２）および把持細片（３２）のようなクリップ材料は、アルミニウムのような金属、プラスチック、その他多くの材料が用いられるが、一般には、プラスチックが最も適している。プラスチック材料としては、ポリエチレン、ポリプロピレン、ポリアセタール、ポリカーボネート、ポリエステル、ポリスルホン、ポリフェニレンサルファイド、ポリアクリレート、ポリアミド、などの各種汎用のプラスチック材料、エンジニアリングプラスチックが強度、耐久性、耐薬品性、軽量、成形性、価格などの面から総合的にみて、任意に決められる。また、バネは、慣用の螺旋或いは板バネ製品を入手して利用すれば足りる。
【００３７】
本考案の空気清浄用器具（５）の利用分野は、空気清浄化気体を発生する物質が何であるかにより決まるが、特に二酸化塩素の場合には、ウイルス対策、花粉、感冒、殺菌、消臭などにおいて優れた機能を発現する。蚊、ダニ、ハエなどの忌避にも期待される。
外出時などには図４に示す要領で、常に携帯することが好ましいが、特に、列車、自動車、航空機などの機密な場所や、食堂、飲食店、喫茶室、カラオケ室のような雑踏、繁華街といった場所、トイレのような排出を伴う場所の消毒、脱臭のために携帯することが好ましい。また、食品加工、農場、農作物の生産販売などをする場所では、作業者が本考案の空気清浄用器具を携帯して作業すると、伝染の予防効果や、保管庫に置くだけで、水産品、果物の保存期間や鮮度を高めることも期待される。
勿論、この空気清浄用器具の基本的な形状は、図１のような形状をしているが、これに、花弁をつけた、いわゆるひまわりといった花のような装飾、絵や、彫刻、各種のアニメのキャラクター、美術装飾のような各種装飾をして、ブローチの効果を高めることができる。
【００３８】
以下、本考案の有効性に関する評価を、実施例を挙げて説明をするが、本考案はこの態様に限定されるものではない。
【００３９】
［実施例］
本考案の空気清浄用器具を構成する、特に図３に示す略寸法の空気清浄化気体を発生する物質を保管する収納部（１）と、空気清浄化気体を放散可能な開口部を備えた、一応着脱自在ではあるが、使用時には完全に嵌合固着されるような構造の蓋部（２）、および長さ３３．５ｍｍ程度の係止具（３）を加圧成形、または射出成形により、プラスチック材料として、ポリエチレン樹脂を使用して、別々の部品として成形する。この器具の容器部の寸法は、幅４３．５ｍｍ、高さ５３．５ｍｍ、厚さ８．８ｍｍ程度の標準仕様の箱となる。収納部（１）の底の裏側の外面に設けられている対の支持体突起（１７）の円弧に、若干の力を加えて、把持細片（３２）の突起軸（３４）をはめ込み、回動自在に取り付ける。次にバネ保持突起（３５）に螺旋バネを組み立てれば完成する。
次に、収納部（１）を容器内に、多孔質担体に亜塩素酸塩およびアルカリ剤を含浸させ乾燥させることによる、平均粒径０．１〜５ｍｍ程度、好ましくは平均粒径０．５〜３ｍｍ程度の、二酸化塩素の発生物質を約１〜２５ｇ程度、好ましくは３〜１０ｇ程度収納して、次で開口部に通気性不織布（４）を貼り付けた蓋部（２）により閉じることにより、空気清浄用器具（５）を完成する。
この空気清浄用器具は、非常にコンパクトで、軽量で、しかもデザイン的にも優れており、長時間にわたり二酸化塩素を放散することができる。一回の二酸化塩素を発生する物質を空気清浄用器具に装填すれば、その濃度、装填量にもよるが、約２０日以上、約３月ぐらいまで有効に放散が持続可能であることが実用的である。さらには、二酸化塩素を発生する物質を徐放化、持続化する手段により、例えば、マイクロカクセル化したりして調節することにより、長期間使用可能にすることも出来る。
【００４０】
平成２４年に「衛生微生物研究センター」で実施した、トリメチルアミンの消臭試験結果を示すと以下のとおりになる。なお、エコムエアマスクとは、本考案の空気清浄用器具の略称であり、臭気のみをコントロールとして同様の試験をした。
［消臭試験］
試  験  試  料
測定時間      エコムエアマスク    コントロール      消臭試験（％）
０分          ２０ｐｐｍ        ２０ｐｐｍ          ０％
３０分後        １８ｐｐｍ        ２０ｐｐｍ        １０％
６０分後        １４ｐｐｍ        ２０ｐｐｍ        ３０％
９０分後        １０ｐｐｍ        ２０ｐｐｍ        ５０％
１２０分後          ６ｐｐｍ        ２０ｐｐｍ        ７０％
１５０分後          ４ｐｐｍ        ２０ｐｐｍ        ８０％
１８０分後          ０ｐｐｍ        １０ｐｐｍ      １００％
このように、本考案の空気清浄用器具は、消臭試験において有益な作用効果を奏することが容易に理解できる。
【００４１】
同じように、平成２４年に「衛生微生物研究センター」で実施した、検体の抗菌力を調べる実験を示す。
１．   検体；エアマスク      １点
２．   試験菌；Ｓｔａｐｈｙｌｏｃｏｃｃｕｓ  ａｕｒｅｕｓ（黄色ブドウ球菌）  ＮＢＲＣ  １３２７６
Ｅｓｃｈｅｒｉｃｈｉａ  ｃｏｌｉ(大腸菌)   ＮＢＲＣ  ３９７２
３．試験方法
３−１．試験菌液の作製；試験菌を普通寒天培地に接種し、３５℃、２４時間培養後、滅菌生理食塩水を用いて１０７／ｍｌに調整したものを試験菌液とした。
３−２．試験試料；５ｃｍ×５ｃｍに切り取った綿布。
３−３．試験菌液の接種および培養；試験試料に作製した試験菌液を接種し、密封容器（Ｌ２５ｃｍ×Ｗ３０ｃｍ×Ｈ２５ｃｍ）に吊り下げ、この密閉容器の蓋部分に検体１つを貼り付け、相対湿度９０％以上の環境下にし、完全密封した。この容器を３５℃２４時間培養した。また、検体を貼り付けていないものをコントロールとし、同様に試験を行った。
３−４．生菌数測定；２４時間培養後、布をストマッカー袋に入れ、ＳＣＤＬＰ培地で洗い出したものを試験液とし、試験液の１０倍希釈系列を作製した。これら希釈液をＳＣＤＬＰ寒天培地に接種し、３５℃、４８時間培養した。培養後、形成された集落をカウントし、生菌数を換算した。
検体の抗菌試験の結果を表１、２に示す。
【表１】
0003179685.tif 000003
【表２】
0003179685.tif 000004
表１及び表２の結果から、本考案の空気清浄用器具は、抗菌試験においても有益な作用効果を奏することが容易に理解できる。
【００４２】
この空気清浄用器具は、身体の襟やポケットに装着可能であり、呼吸をする、口元や鼻の位置に一定の距離で装着できる為に、安定してコンスタントに二酸化塩素が放散できる為に、感冒、ウイルス、花粉などの事情を考慮して、場所の状況に応じて、装着位置、距離、発生物質の種類、装填量を調整することができる。
【産業上の利用可能性】
【００４３】
本考案の空気清浄用器具は、二酸化塩素の強力な殺菌、除菌、消臭、忌避などの効力があるために、機内、車内、職場、旅行、演劇場、観戦場、学校活動などに参加する際に装着すれば、インフルエンザ、気管支炎、風邪、伝染病、花粉の予防効果が期待され、国内外の通勤、行楽、旅行、集会などの観光業、興行に重宝される。
また、飲食、カラオケ、厨房などにおける、客の消毒、衛生を保つ為に、その場所に置くだけで有益であり、調理人の衛生を保つことにも期待され、サービス業、食品業の分野でも有益である。
医療現場においても、看護、治療における病気の伝染や、予防にも期待されるので、特に、水害や天災の衛生事情が良くない地域に旅行、派遣される場合に、この空気清浄用器具の装着が有益であり、医療分野、産業にも有益である。それ以外にも、養殖、養豚、魚、うなぎ、すっぽん、鯉などの人工飼育現場という水産、動植物の伝染、その養殖に携わる業者は、病気、菌の伝染、増殖を防ぐ為に、装着することが期待される。
また、トマト、きゅうり、茄子、梨、ぶどうなどの比較的菌に感染しやすい農作物を栽培する場合に、ビニルハウス内や、手入れ作業の際には、空気清浄用器具を装着して、菌の繁殖や、衛生を保つことができるので、農水畜林産業上の分野で使用することも期待される。
しかも、比較的安価に、簡易に、容易に安定的に供給できるものであり、日本の生活、観光、旅行、生産、農水産業の発展および地域経済の活性化および発展に間接的に寄与することができる。
【符号の説明】
【００４４】
１．収納部の容器                    １１．容器底面
１１１．底面部分（１１）の裏側外表面
１２．側壁部分                      １２１．第一段差
１２２．第二段差                    １２３．第三段差
１３．容器の上口部                  １４．リブ
１５．リブ                          １６．ストッパー
１７．支持体突起  
２．蓋部
２１．蓋底面部分                    ２２．蓋側壁部分
２２１．二段部分                    ２２２．一段部分
２３．四角型開口部                  ２４．半円分割型開口部
２５．表示部
３．係止具（３）
３１．取手片                      ３２．把持細片
３３．バネ                        ３４．突起軸
３５．バネ保持突起                ３６．滑り止め機構
４．仕切り膜
５．空気清浄用器具
【図１】
0003179685.tif 000005
【図２】
0003179685.tif 000006
【図３】
0003179685.tif 000007
【図４】
0003179685.tif 000008
【図５】
0003179685.tif 000009
【図６】
0003179685.tif 000010
【図７】
0003179685.tif 000011
【図８】
0003179685.tif 000012
【手続補正書】
【提出日】平成24年9月7日(2012.9.7)
【手続補正１】
【補正対象書類名】明細書
【補正対象項目名】全文
【補正方法】変更
【補正の内容】
【考案の詳細な説明】
【技術分野】
【０００１】
本考案は、外套、洋和服の襟、ポケット、胸、帽子などにピン、ホック、クリップまたはファスナーのような係止具により取り付けることができるコンパクトな携帯型、服飾用品型の空気清浄用機能を有する空気清浄器具に関する。
【背景技術】
【０００２】
現在、二酸化塩素（ＣｌＯ２）は、安全性の高い消毒剤であり、特に通常５００ｐｐｍ以下の空気濃度では、皮膚炎、アレルギー、呼吸器系に対する影響が少ないという理由により、その期待が非常に高まっている。二酸化塩素は、０．１〜１０ｐｐｍ以下の空気濃度でも、ウイルスの防御、除菌および消臭をすることが知られており、その利用が期待されている。
特に、二酸化塩素で飲料水を処理して除菌する試みも既になされ、浄水処理にも使用することが試みられている。
【０００３】
二酸化塩素は、高濃度では非常に爆発し易い気体であり、使用においては希釈しなければならず、しかも熱、振動、光などの影響で不安定になる傾向もあり、その取り扱いには、細心の注意を要する。二酸化塩素の発生方法および製造方法に関しては、現在、何種類かの方法が知られているが、具体的な二酸化塩素使用現場では、二酸化塩素発生装置、現場での二酸化塩素調合装置などにより、供給するのが一般的である。その後、二酸化塩素を特殊加工した、錠剤型や粉末、顆粒、ペレット、ゼリーのような取り扱い上便利な形態のものが知られるようになり、特殊な実用または利用範囲を広げることができるようになった。
【０００４】
ウイルス、感冒、インフルエンザ、排気ガス汚染、花粉、口臭等による空気感染や空気汚染の影響を抑える対策が非常に重要になり、このために、通常は、布、不織布のような、いわゆるフィルターのような「マスク」を着用して対応しているのが一般的である。このような「マスク」に代わる機能を備えた、いわゆる、身近な空気そのものを浄化する、いわゆる空気清浄用機能を有する、空気そのものを浄化するような役割をはたす手法も求められている。
【０００５】
そのため、人が吸引する空気を浄化する、ウイルス感染などを予防するために、内部粉体を収納しうる収容体と二酸化塩素発生粉末とからなり、二酸化塩素発生粉末が水分と反応して二酸化塩素を外部に放出する仕組みの携帯型空気浄化用具が知られている（特許文献１）。
しかし、この空気浄化用具は、二酸化塩素発生粉末を収納する収容体が、強固なケースではなく、収容する二酸化塩素発生粉末を外圧に対して安定的に保護する対策が無いことや、定常に放散する規格の開口部や切り欠き部が無く、放散が不安定であり、また、取り付け位置が襟とか、ポケットのような、呼吸器部分に隣接するという課題がなく、その効能を安定的に維持する上で、取り扱いが不便である。また、ネームプレートのような紐状のもので首にかける構造は、オフィス、学校以外の場所においては、首掛は、特に子供が、自転車走行や、遊園地の滑り台や、遊具においては非常に危険であることが想定される。また、空気より重い二酸化塩素を所定の位置で、安定的に発生させるにおいて、調節に若干の不自由さがある。
【０００６】
また、ネームカードケースなど、首にかける携帯型空気浄化用具として、開口部を有するケースと、ケースに収納する二酸化塩素ガス発生体と、そのケースを人が身につける被固定物品に固定する固定手段からなる携帯型空気浄化用具が知られている（特許文献２）。
しかしながら、収納体ケースは、取り扱い上不便であり、ガス発生体が通気性袋に収納されたものにあっては便利であるが、ガス発生体が粉末のような場合には、分量が厄介である。また、ネームカードケースのような紐状のもので首にかける構造は、活動に不便であるばかりでなく、子供が、自転車走行や、遊園地の滑り台や、遊具等で活動する際に、非常に危険である。
【０００７】
安定化二酸化塩素溶液から二酸化塩素を発生させ、これと空気を接触させて、空気に含まれる煙、臭い、細菌などを浄化する環境浄化器（特許文献３）が知られている。しかし、この先行技術は、携帯型の空気浄化を目的としたものではない。
【先行技術文献】
【特許文献】
【０００８】
【特許文献１】実用新案登録第３１５４０９４号
【特許文献２】特開２０１２−９０７４３号公報
【特許文献３】特開平３−２２８７７１号公報
【考案の概要】
【考案が解決しようとする課題】
【０００９】
本考案は、外套、洋和服の襟、ポケット、胸、帽子などにピン、ホック、クリップまたはファスナーのような係止具により取り付けることができる携帯型、服飾用品型の空気清浄用機能を有する空気清浄器具において、安定的に、且つ持続的に二酸化塩素を、身近に発生するという課題を解決することにある。
【課題を解決するための手段】
【００１０】
本考案は、除菌、消臭、ウイルス、花粉対策などに有効な空気清浄機能を有する携帯兼服飾型の、いわゆるブローチ型の空気清浄用器具に係わる物品を開発したものである。
本考案の第１の特徴点は、空気清浄化気体を発生する物質を保管する収納部（１）と、空気清浄化気体を放散可能な開口部を備えた着脱自在な蓋部（２）により閉じられている蓋付容器に対して、係止具（３）が付帯していることを特徴とする空気清浄機能を有する携帯兼服飾型の空気清浄用器具（５）により達成することができるものである。
【００１１】
本考案の第２の特徴点は、空気清浄化気体を発生する物質が二酸化塩素を発生する物質であることを特徴とする空気清浄用器具により達成することができるものである。
本考案の第３の特徴点は、収納部（１）が、容器の形体をしており、内容部に容器の補強兼収納物の仕切りの為のリブが設けられていることを特徴とする空気清浄用器具により達成することができるものである。
【００１２】
本考案の第４の特徴点は、蓋部（２）が、蓋の外表面に空気清浄化気体を放散可能な程度に切り取り部、穿孔、格子のような開口部を備えていることを特徴とする空気清浄用器具により達成することができるものである。
本考案の第５の特徴点は、蓋部（２）の裏内面には、空気清浄化気体を発生する物質の保管および空気清浄化気体の放散を制御したり外部からの水や異物の侵入を防止する為の、不織布、スポンジ、布のような通気性の仕切り膜により開口部が保護されていることを特徴とする空気清浄用器具により達成することができるものである。
【００１３】
本考案の第６の特徴点は、係止具（３）が、収納部（１）の該表面と把持用細片面により被把持部を挟む機構からなるクリップ構造であることを特徴とする空気清浄用器具により達成することができるものである。
本考案の第７の特徴点は、係止具（３）が、洋和服の襟、ポケット、帽子、バック、キャスターなどに取り付ける為の、ピン、ホック、クリップ、ボタンまたはファスナーのような取り付け具であることを特徴とする空気清浄用器具により達成することができるものである。
本考案の第８の特徴点は、収納部（１）、蓋部（２）および係止具（３）が、プラスチック材料製であることを特徴とする空気清浄用器具にある。
【考案の効果】
【００１４】
本考案の空気清浄用器具は、外套、洋和服の襟、ポケット、胸、帽子などにピン、ホック、クリップまたはファスナーのような係止具により容易に取り付けることができる軽量で、携帯型、服飾用品型の持続的に空気清浄用機能を有するものであり、外出時などにおいても人の身辺近くにファション感覚で装着して、室内外における除菌、消臭、ウイルス、花粉対策などにおいて有効である。また、取り付け型の空気清浄用器具であるから、口元、鼻のような呼吸器に対して安定した所定の位置に、一定の距離や間隔をもって取り付けることができるため、二酸化塩素の放散を比較的安定に、しかもコンスタントに放散できることにより、二酸化塩素の効率的および持続的効果を高めることができる。
【図面の簡単な説明】
【００１５】
【図１】本考案の空気清浄用器具（５）の斜視図。
【図２】空気清浄用器具（５）の側面図。
【図３】空気清浄用器具（５）の正面図（図３（ａ））、側面図（図３（ｂ））および開口部を保護する仕切り膜（４）（図３（ｃ））の模式図
【図４】本考案の空気清浄用器具（５）を衣類などに装着した使用状態を示す模式図。
【図５】本考案の空気清浄用器具の収納部を構成する容器（１）の模式図。
【図６】本考案の空気清浄用器具の蓋部（２）の正面図。
【図７】本考案の空気清浄用器具の蓋部（２）を裏から見た裏面図。
【図８】空気清浄用器具の係止具（３）を構成する把持細片（３２）の模式図。
【考案を実施するための形態】
【００１６】
本考案の空気清浄機能を有する携帯兼服飾型の空気清浄用器具（５）の物品として、デザイン的にも最も好ましい形態の概要を示すと、図を参考にして説明をすれば、図１の斜視図に見るように、空気清浄化気体を発生する物質を保管した収納部（１）の容器に、蓋の表面に略四角形（２３）、略半円分割形（２４）の開口部（２３）（２４）を任意に有する蓋部（２）を、容器の上口部（１３）および側壁部（１２）を覆うように被せた状態のコンパクトな構造の物品である。また、開口部（２３）（２４）を含めた容器の上口部（１３）全体を覆うように仕切り膜（４）（図３（ｃ）を参照。）を被せるものである。この仕切り膜（４）を被せるに当っては、単に収納部（１）の容器上に載せるのみでもよいが、収納部（１）の容器上口部であって仕切り膜（４）との接触部分や、または蓋部（２）の蓋底面部分（２１）に、接着剤を塗布して仕切り膜（４）を貼り付け固着してもよい。さらにこの蓋付容器を衣類などに装着する為の係止具（３）が付帯するものであり、この係止具（３）の例としては、例えばクリップ用の取手片（３１）（３２）を付帯する構造の物品である。勿論、この容器（１）および蓋部（２）の形態、構造、模様、色彩および寸法などは任意に変えて設計できるので、図１の形態に限定した構造であると解釈されるようなものではない。
【００１７】
同様に、空気清浄用器具（５）の側面図は、図２に示すとおりのものであり、収納部（１）の容器の上面口部および側壁部の前面を覆うように蓋部（２）が被さっている。容器（１）の底面裏側部分（１１１）には、クリップの役割を果たす把持細片部（３２）を取り付ける為の、対の支持体突起（１７）が一体に取り付けられている構造からなる。容器（１）に蓋部（２）をする構造は、慣用の箱に上から蓋をする構造でも良いが、装着した場合に、上側となる、いわゆる取手片（３１）側の方向へ、蓋をスライドさせる手法により蓋をする構造も、設計変更の範囲内として包含する。
【００１８】
その空気清浄用器具の具体的な物品の形状、構造および略寸法を示すと、その概要は、図３に示すとおりのものである。具体的な、空気清浄用器具の設計図に基づく寸法は、図３（ａ）正面図に基づいて大きさの概要を示すと、蓋付容器の幅が２０〜８０ｍｍ、好ましくは、３０〜５０ｍｍ程度、最適には４３．５ｍｍ程度あれば良い。さらに、取り付け具としてクリップ機能を果たす把持部の幅の部分は、好ましくは、８〜２０ｍｍ程度、最適には１１ｍｍ程度の幅のものが見られる。
【００１９】
一方、空気清浄用器具の、蓋付容器部の高さは３０〜８５ｍｍ、好ましくは、４０〜６０ｍｍ程度、最適には５３．５ｍｍ程度あれば良い。この高さには、取り付け具としてクリップ機能を果たす把持部の高さ部分として、好ましくは、８〜２０ｍｍ程度、最適には１０ｍｍ程度の長さが加わる。
蓋付容器部の厚さは、特に図３（ｂ）側面図に基づいて示すと、好ましくは、５〜２０ｍｍ程度、最適には８．８ｍｍ程度の厚さに設計される。これにクリップ機能を果たす把持部の厚さが加わると、１０〜４０ｍｍ程度の厚さを有することになる。
【００２０】
空気清浄用器具の本体部分である、この蓋付容器部の容量の寸法の大小は、空気清浄化気体を発生する物質の種類や収納量、発生物質の性能、気体発生持続時間、さらには、小型の携帯型である性格からして、重量、大きさ、或いはファション感覚を考慮して設計するような事項である。本考案の、空気清浄用器具を構成する、収納部（１）を収納部の上面口部および側壁部の全面を覆うように蓋部（２）をした、一体に勘合したものが推奨され、具体的には、典型的な物品の形態は、図１の斜視図に見るとおりのものである。
【００２１】
このように、空気清浄用器具（５）は、図４に示すとおり、洋和服の襟、ポケット、帽子、カバン等に、ピン、ホック、クリップ、ボタンまたはファスナー等の係止具（３）により取り付けることにより利用するものである。例えば、図４に見るとおり、衣類の襟や、ポケットに装着して利用する、小型の携帯型のものであり、しかもファション感覚で使用する服飾型のコンパクトな空気清浄用物品である。
【００２２】
空気清浄化気体を発生する物質を収納した収納部（１）、および蓋部（２）の物品の構造について、最も好ましい態様を示すと以下のとおりになる。
空気清浄化気体を発生する物質を保管する収納部（１）の容器に対して、空気清浄化気体を放散可能な蓋表面積の約２０〜９０％、好ましくは４０〜６０％程度切り取ることにより形成される開口部を備えた着脱自在な蓋部（２）により閉じるような構造は、通常の蓋付き容器といわれる、箱の構造を採用することができるが、空気清浄化気体を発生させるという事情を考慮すれば、好ましい態様は、図１、図３（ｂ）に見るような、収納部（１）を構成する容器の上口部（１３）および側壁部分（２２）までを、好ましくは段差などを介して覆うような構造をした蓋材料により閉じられている蓋付容器であることが好ましい。
【００２３】
この場合、外套、洋和服の襟、ポケット、帽子、バッグ、キャスターなどに取り付ける係止具（３）の構造は、典型的な例の一つを示すと、詳細には図２、図３（ｂ）に見るとおり二つの把持片により挟む構造であり、一つの把持片は収納部（１）の容器底の裏側外表面（１１１）に固着され、他方の把持片は、取手片（３２）のような状態で取り付けられており、バネ（３３）を介して任意に把持力を持たせるクリップ構造になっている。
【００２４】
空気清浄用器具の本体部分である、蓋付容器内に収納する空気清浄化気体を発生する物質が二酸化塩素を発生する物質であることが好ましく、収納部（１）の容器に、保管時には安定で、実際の使用時には、空気中の水蒸気や二酸化炭素と反応して、二酸化塩素を持続的に安定に放散するように予め加工した形態のものが推奨される。その形態は、粉末、顆粒、砕片、球状物、マイクロカプセル化状、ゲル状、液状物が任意に使用できる。予め、二酸化塩素を発生する物質を、どのような形態で使用するかは、空気清浄用器具の使用状況を考慮して決める。具体的には、セピオライトのような多孔質担体に亜塩素酸塩およびアルカリ剤を含浸させ乾燥させもの（ダイソ−（株）特開２０１１−１７３７５８）が知られており、これを使用するのが推奨される。
【００２５】
従って、このような二酸化塩素を発生する物質の場合には、一定の大きさの錠剤にするか、収納部（１）の容器に入れる所定量を、例えば透過性内袋を用いて、予めパックにしておき、それを例えばポリエチレンのようなプラスチック製の非透過性外袋に収納して二重包装の状態で保管をして、使用時に外袋を取り除いた後に、カートリッジのような対応で収納部（Ａ）の容器（１）内に収めるのがよい。この場合、例えば、１月間効能を放散するというように、一定量パックで調合することが理想的である。
【００２６】
二酸化塩素を発生する物質の放散量は、形状、使用量、および放散時間を考慮して決める。平均粒径は、１〜５ｍｍ程度あれば取り扱い上便利であり、粒径の小さいものは、単位重量に対する表面積が大きくなり、放散量が多くなることが予測される。二酸化塩素の放散量および放散時間を調整する為に、使用量を多くしたり、二酸化塩素を発生する物質の濃度を比較的高くしたりするなど、調整することが必要である。粉末の場合などは、一定量を袋に入れたパック状態で仕分けして、密封状態で保存することもできる。
【００２７】
二酸化塩素の放散量は、一応、０．００１〜５００ｐｐｍと任意に広範囲に使用可能であるが、感応するアレルギーなどの健康被害の個人差、器物に対する腐食の影響を考慮すれば、１００ｐｐｍ以下、場合によっては、５０ｐｐｍ以下、必要により２ｐｐｍ前後、或いは１ｐｐｍ、０．５ｐｐｍというように二酸化塩素発生物質の量および性能を考慮して、任意に決めるのが好ましい。いずれにせよ、細菌、ウイルス、花粉、衛生、流感、時期、場所、状況などを考慮して任意に決めることができるというのも、本考案の空気清浄用器具の有益性の特徴の一つである。
【００２８】
収納部（１）の容器の構造は、空気清浄化気体を発生する物質を保管する通常の容器であれば一応対応できるが、好ましい典型的な収納部（１）の構造は、図５に見られるとおり、浅底の箱または入れ物の形態をした、底面部分（１１）と側壁部分（１２）により形成される、上口部（１３）を有するケースまたはトレーのような容器（１）である。その底面部分の延長方向には、器具、衣服などに取り付ける場合に使用する係止具（３）としてのクリップのような把持の役割を果たす取手片（３１）が付設されている。収納部を構成する容器（１）の側壁部分（１２）は、蓋部（２）の着脱を確実に、しかも封止効果を高める為に、適度な段差を、例えば一段差（１２１）、二段差（１２２）および三段差（１２３）を順次設けることにより、収納部（Ａ）を構成する容器（１）と蓋部（２）の咬合強度、接触面積を高めて密封効果を上げる構造を採用するのが好ましい。
【００２９】
また、蓋部（２）が容易に脱落するのを防ぐ為に、ストッパー機構（１６）を敷設することにより、一旦、蓋を閉めると、ロック機構が作動して、容易に蓋が開かないようにすることが、子供が使用する場合の安全性を考慮すれば好ましい。さらに、例えば、突起と窪みを本体と蓋部の契合部分に夫々設けて契合を強固にすることもできる。また、収納部（１）の容器のねじれや変形防止、側壁部分（１２）の強度を高める為に、梁状のリブ（１４）（１５）を設けるが、その配置は、格子状に、はすかいに、やや斜め向きという、任意の向きに適正な数を配置することができる。このリブ（１４）（１５）による仕切りは、収納した空気清浄化気体を発生する物質が、粒状、顆粒などの場合、或いは袋状の場合などにおいて、過度の振動や揺動により物質の下側への一部に偏りや集中することを防止する機能を果たすので、空気清浄化気体の発生をコンスタントに持続する役割も果たす。このリブ構造は、子供などが爪や指を入れる危険を防止することや、収納されている不織布の保護をする役割を果たす。
【００３０】
蓋部（２）の構造は、蓋の外表面に二酸化塩素のような空気清浄化気体を放散可能な程度に文字に対応した切り欠き部、穿孔、格子のような開口部を備えていることを特徴とする。通常は、図６に見られるように、面に余裕の有る部分には、格子状開口部（２３）を、好ましくは対に、面に配置上余裕のない部分には、半円を二分割にしたような開口部（２４）を、好ましくは対に配置することが好ましい。勿論、多数の穿孔（図示省略）を配置して、空気清浄化気体の発生を、一定に、しかも持続させる工夫もできる。
【００３１】
この蓋部（２）の外表面は、本考案が、空気清浄機能を有する携帯兼服飾型の空気清浄用器具であることからすれば、衣類に取り付けるブローチ型のファション感覚で使用する機能を果たすので、飾り、模様、彫刻のような装飾をすることが好ましい。例えば、必要により任意に、図１、図３、図６などに見るとおり、例えば、機能、宣伝を果たすような印字のような文字模様や、花柄模様のような装飾をすること、または成形金型により、彫刻によりまたは二次加工により、空気清浄化気体を放散することができる各種の文字、模様、彫刻のような切抜きにより、または印字により、切削により任意に形成した、いわゆる表示部（２５）を形成することもできる。
【００３２】
この蓋部（Ｂ）の裏面は、図７のように、蓋の底面部分（２１）と側壁部分（２２）により形成された底の浅い容器状の形態をして、その側壁部分（２２）は、容器状の収納部（１）の外周壁（１２）に、適度な一段段差（１２１）、二段段差（１２２）および三段段差（１２３）と形成された段差に適度に勘合するような間隔で、蓋部（２）の側壁部分（２２）に賦形された、一段段差（２２２）、二段段差（２２１）を設けることにより、収納部（１）と蓋部（２）の勘合強度、接触面積を多くして密接効果を高めることが可能であり、さらには、収納部（１）と蓋部（２）の間隔を常に一定に保つことができる。蓋部の裏面から見ても、やはり適度な開口部（２３）、（２４）や、例えば、機能、宣伝を果たすような適度な印字、彫刻、切抜きのような表示部（２５）が形成されている。
【００３３】
本考案の、空気清浄用器具を構成する、容器状収納部（１）と蓋部（２）を一体に勘合した物品は、図１の外観図に見るとおりの形態をしている。
蓋部（２）の裏内壁面には、空気清浄化気体を発生する物質の保管および空気清浄化気体の放散を制御する為の、図３（ｃ）に見るような、不織布、スポンジ、布のような、蓋の内面の輪郭に沿う大きさの仕切り膜（４）により、開口部（２３、２４）、切り取りのような表示部（２５）が保護されている。この仕切り膜（４）の厚さは、空気清浄化気体の放散の通過量を考慮して決めるものである。また、仕切り膜（４）の役割は、蓋部（２）の開口部（２３）、（２４）、表示部（２５）から、空気清浄化気体を発生する物質（図示せず）が外部に飛び出さないように保護の役割も果たす。さらには、雨、霧、雪のような水が、外部から開口部（２３、２４）を通じて入り、空気清浄化気体を発生する物質の不用意な反応を促進することにより、持続的な気体の発生の障害となることを防止する。また、非通気性のプラスチック材料により、図３（ｃ）に見る仕切り膜（４）を製作すれば、空気清浄用器具を使用しない場合に、密閉の機能を果たすので、二酸化塩素の放散を防止する役割も果たすことになり、無駄を省くことになる。いずれにせよ、この仕切り膜（４）は、不織布、布、スポンジ、皮革、多孔板のような、耐薬品性の性質を備えた通気性の材料で構成されることが適切である。
【００３４】
空気清浄用器具は、洋和服の襟、ポケット、帽子などに取り付ける為の、ピン、ホック、クリップまたはファスナーのような取り付け具の役割を果たす係止具（３）が付帯している。この係止具（３）としては、市販のものを入手して任意に取り付けることができる。利便性を考慮して、典型的な係止具（３）のクリップ機構を説明すると、図２、図３（ｂ）の側面図、図８に見るような、把持部の概要は、所定の寸法と強度を備えた取手片（３１）の突起部が容器状の収納部（１）の底面部分（１１）の裏側外表面（１１１）に固定されており、それを支点にして、バネの力により把持細片（３２）の一端が、収納部（１）の底面部分（１１）の裏側の外表面（１１１）に常時押し付けられて開閉自在になっている。衣類などに取り付ける場合には、取手片（３１）と把持細片（３２）の両片の端を指圧で押して衣類などを挟むと、バネの力により戻り、衣類などを容易に挟む、クリップ機能の役割を果たす構造になっている。勿論、ピン、ホック、クリップ、例えば挟持型クリップ、または弾性材料をＵ字形に加工した押込型クリップ、自在ファスナー、または剥離紙を備えた粘着型係止具のような、慣用の係止手段による係止具（３）が任意に採用できる。
【００３５】
この把持細片（３２）は、図８に示すような形状からなる。この詳細は、図２、図３（ｂ）に示すとおり、容器状の収納部（１）の底面部分（１１）の裏側の外表面（１１１）に可動自在に固定されており、詳細には外表面（１１１）に対で設けられ支持体突起（１７）の先端孔部に、把持細片（３２）の突起軸（３４）が入り、そこを基軸にして回動可能に取り付けられる。また、バネのずれや、はずれを防止して、安定的にバネの押圧を確保する為に、バネ保持突起（３５）を設けることが好ましい。このバネ保持突起（３５）は、円形螺旋バネを受け止める程度の直径と長さを有する。勿論、板バネを採用する為に、その構造を工夫することもできる。これらの機構および工夫は設計変更の範囲のものである。その機構は、把持細片（３２）のバネを配置した部分側の裏を指で押圧して挟む構造になるが、それと反対側の端には、適度な切込みをジクザクにいれた、滑り止め構造（３６）を設けることにより衣類などからの脱落を防止することも可能である。
【００３６】
空気清浄用器具の、特に収納部の容器（１）、蓋部（２）および把持細片（３２）のようなクリップ材料は、アルミニウムのような金属、プラスチック、その他多くの材料が用いられるが、一般には、プラスチックが最も適している。プラスチック材料としては、ポリエチレン、ポリプロピレン、ポリアセタール、ポリカーボネート、ポリエステル、ポリスルホン、ポリフェニレンサルファイド、ポリアクリレート、ポリアミド、などの各種汎用のプラスチック材料、エンジニアリングプラスチックが強度、耐久性、耐薬品性、軽量、成形性、価格などの面から総合的にみて、任意に決められる。また、バネは、慣用の螺旋或いは板バネ製品を入手して利用すれば足りる。
【００３７】
本考案の空気清浄用器具（５）の利用分野は、空気清浄化気体を発生する物質が何であるかにより決まるが、特に二酸化塩素の場合には、ウイルス対策、花粉、感冒、殺菌、消臭などにおいて優れた機能を発現する。蚊、ダニ、ハエなどの忌避にも期待される。
外出時などには図４に示す要領で、常に携帯することが好ましいが、特に、列車、自動車、航空機などの機密な場所や、食堂、飲食店、喫茶室、カラオケ室のような雑踏、繁華街といった場所、トイレのような排出を伴う場所の消毒、脱臭のために携帯することが好ましい。また、食品加工、農場、農作物の生産販売などをする場所では、作業者が本考案の空気清浄用器具を携帯して作業すると、伝染の予防効果や、保管庫に置くだけで、水産品、果物の保存期間や鮮度を高めることも期待される。
勿論、この空気清浄用器具の基本的な形状は、図１のような形状をしているが、これに、花弁をつけた、いわゆるひまわりといった花のような装飾、絵や、彫刻、各種のアニメのキャラクター、美術装飾のような各種装飾をして、ブローチの効果を高めることができる。
【００３８】
以下、本考案の有効性に関する評価を、実施例を挙げて説明をするが、本考案はこの態様に限定されるものではない。
【００３９】
［実施例］
本考案の空気清浄用器具を構成する、特に図３に示す略寸法の空気清浄化気体を発生する物質を保管する収納部（１）と、空気清浄化気体を放散可能な開口部を備えた、一応着脱自在ではあるが、使用時には完全に嵌合固着されるような構造の蓋部（２）、および長さ３３．５ｍｍ程度の係止具（３）を加圧成形、または射出成形により、プラスチック材料として、ポリエチレン樹脂を使用して、別々の部品として成形する。この器具の容器部の寸法は、幅４３．５ｍｍ、高さ５３．５ｍｍ、厚さ８．８ｍｍ程度の標準仕様の箱となる。収納部（１）の底の裏側の外面に設けられている対の支持体突起（１７）の円弧に、若干の力を加えて、把持細片（３２）の突起軸（３４）をはめ込み、回動自在に取り付ける。次にバネ保持突起（３５）に螺旋バネを組み立てれば完成する。
次に、収納部（１）を容器内に、多孔質担体に亜塩素酸塩およびアルカリ剤を含浸させ乾燥させることによる、平均粒径０．１〜５ｍｍ程度、好ましくは平均粒径０．５〜３ｍｍ程度の、二酸化塩素の発生物質を約１〜２５ｇ程度、好ましくは３〜１０ｇ程度収納して、次で開口部に通気性不織布（４）を貼り付けた蓋部（２）により閉じることにより、空気清浄用器具（５）を完成する。
この空気清浄用器具は、非常にコンパクトで、軽量で、しかもデザイン的にも優れており、長時間にわたり二酸化塩素を放散することができる。一回の二酸化塩素を発生する物質を空気清浄用器具に装填すれば、その濃度、装填量にもよるが、約２０日以上、約３月ぐらいまで有効に放散が持続可能であることが実用的である。さらには、二酸化塩素を発生する物質を徐放化、持続化する手段により、例えば、マイクロカクセル化したりして調節することにより、長期間使用可能にすることも出来る。
【００４０】
平成２４年に「衛生微生物研究センター」で実施した、トリメチルアミンの消臭試験結果を示すと以下のとおりになる。なお、本考案の製品とは、本考案の空気清浄用器具の略称であり、臭気のみをコントロールとして同様の試験をした。
［消臭試験］
試  験  試  料
測定時間          本考案の製品        コントロール      消臭試験（％）
０分          ２０ｐｐｍ        ２０ｐｐｍ          ０％
３０分後        １８ｐｐｍ        ２０ｐｐｍ        １０％
６０分後        １４ｐｐｍ        ２０ｐｐｍ        ３０％
９０分後        １０ｐｐｍ        ２０ｐｐｍ        ５０％
１２０分後          ６ｐｐｍ        ２０ｐｐｍ        ７０％
１５０分後          ４ｐｐｍ        ２０ｐｐｍ        ８０％
１８０分後          ０ｐｐｍ        １０ｐｐｍ      １００％
このように、本考案の空気清浄用器具は、消臭試験において有益な作用効果を奏することが容易に理解できる。
【００４１】
同じように、平成２４年に「衛生微生物研究センター」で実施した、検体の抗菌力を調べる実験を示す。
１．   
検体；本考案の製品      １点
２．   
試験菌；Ｓｔａｐｈｙｌｏｃｏｃｃｕｓ  ａｕｒｅｕｓ（黄色ブドウ球菌）  ＮＢＲＣ  １３２７６
Ｅｓｃｈｅｒｉｃｈｉａ  ｃｏｌｉ(大腸菌)   ＮＢＲＣ  ３９７２
３．試験方法
３−１．試験菌液の作製；試験菌を普通寒天培地に接種し、３５℃、２４時間培養後、滅菌生理食塩水を用いて１０７／ｍｌに調整したものを試験菌液とした。
３−２．試験試料；５ｃｍ×５ｃｍに切り取った綿布。
３−３．試験菌液の接種および培養；試験試料に作製した試験菌液を接種し、密封容器（Ｌ２５ｃｍ×Ｗ３０ｃｍ×Ｈ２５ｃｍ）に吊り下げ、この密閉容器の蓋部分に検体１つを貼り付け、相対湿度９０％以上の環境下にし、完全密封した。この容器を３５℃２４時間培養した。また、検体を貼り付けていないものをコントロールとし、同様に試験を行った。
３−４．生菌数測定；２４時間培養後、布をストマッカー袋に入れ、ＳＣＤＬＰ培地で洗い出したものを試験液とし、試験液の１０倍希釈系列を作製した。これら希釈液をＳＣＤＬＰ寒天培地に接種し、３５℃、４８時間培養した。培養後、形成された集落をカウントし、生菌数を換算した。
検体の抗菌試験の結果を表１、２に示す。
【表１】
0003179685.tif 000013
【表２】
0003179685.tif 000014
表１及び表２の結果から、本考案の空気清浄用器具は、抗菌試験においても有益な作用効果を奏することが容易に理解できる。
【００４２】
この空気清浄用器具は、身体の襟やポケットに装着可能であり、呼吸をする、口元や鼻の位置に一定の距離で装着できる為に、安定してコンスタントに二酸化塩素が放散できる為に、感冒、ウイルス、花粉などの事情を考慮して、場所の状況に応じて、装着位置、距離、発生物質の種類、装填量を調整することができる。
【産業上の利用可能性】
【００４３】
本考案の空気清浄用器具は、二酸化塩素の強力な殺菌、除菌、消臭、忌避などの効力があるために、機内、車内、職場、旅行、演劇場、観戦場、学校活動などに参加する際に装着すれば、インフルエンザ、気管支炎、風邪、伝染病、花粉の予防効果が期待され、国内外の通勤、行楽、旅行、集会などの観光業、興行に重宝される。
また、飲食、カラオケ、厨房などにおける、客の消毒、衛生を保つ為に、その場所に置くだけで有益であり、調理人の衛生を保つことにも期待され、サービス業、食品業の分野でも有益である。
医療現場においても、看護、治療における病気の伝染や、予防にも期待されるので、特に、水害や天災の衛生事情が良くない地域に旅行、派遣される場合に、この空気清浄用器具の装着が有益であり、医療分野、産業にも有益である。それ以外にも、養殖、養豚、魚、うなぎ、すっぽん、鯉などの人工飼育現場という水産、動植物の伝染、その養殖に携わる業者は、病気、菌の伝染、増殖を防ぐ為に、装着することが期待される。
また、トマト、きゅうり、茄子、梨、ぶどうなどの比較的菌に感染しやすい農作物を栽培する場合に、ビニルハウス内や、手入れ作業の際には、空気清浄用器具を装着して、菌の繁殖や、衛生を保つことができるので、農水畜林産業上の分野で使用することも期待される。
しかも、比較的安価に、簡易に、容易に安定的に供給できるものであり、日本の生活、観光、旅行、生産、農水産業の発展および地域経済の活性化および発展に間接的に寄与することができる。
【符号の説明】
【００４４】
１．収納部の容器                    １１．容器底面
１１１．底面部分（１１）の裏側外表面
１２．側壁部分                      １２１．第一段差
１２２．第二段差                    １２３．第三段差
１３．容器の上口部                  １４．リブ
１５．リブ                          １６．ストッパー
１７．支持体突起  
２．蓋部
２１．蓋底面部分                    ２２．蓋側壁部分
２２１．二段部分                    ２２２．一段部分
２３．四角型開口部                  ２４．半円分割型開口部
２５．表示部
３．係止具（３）
３１．取手片                      ３２．把持細片
３３．バネ                        ３４．突起軸
３５．バネ保持突起                ３６．滑り止め機構
４．仕切り膜
５．空気清浄用器具
【手続補正２】
【補正対象書類名】図面
【補正対象項目名】全図
【補正方法】変更
【補正の内容】
【図１】
0003179685.tif 000015
【図２】
0003179685.tif 000016
【図３】
0003179685.tif 000017
【図４】
0003179685.tif 000018
【図５】
0003179685.tif 000019
【図６】
0003179685.tif 000020
【図７】
0003179685.tif 000021
【図８】
0003179685.tif 000022